(57)【要約】【課題】全体がごく薄い構造で、しかも肌への使い勝手に優れた化粧用具を提供する。【解決手段】軸部１３、１４が延設された把持部１０と、上記軸部１３、１４に着脱自在に取り付けられる化粧チップ１１、１２とを備え、上記把持部１０が厚み４ｍｍ以下の略板状であり、チップ取り付け用の軸部１３、１４が厚み２ｍｍ以下の略板状で、上記化粧チップ１１、１２が、軸部１３、１４を差し込むための取り付け穴１７、１８を有し、上記化粧チップ１１、１２が、少なくとも上記軸部根元部を覆う部分において、その軸部根元部に沿って厚み方向に潰れ、厚み方向と直交する方向に引き延ばされた状態で、軸部１３、１４に取り付けられている化粧用具である。【選択図】図２
2018029963.tif 000002
【特許請求の範囲】
【請求項１】
左右方向に延びる把持部と、上記把持部の左右両端のうち少なくとも一方の端面から延設される化粧チップ取り付け用の軸部と、上記軸部に着脱自在に取り付けられる化粧チップとを備えた化粧用具であって、
上記把持部が厚み４ｍｍ以下の略板状であり、
上記化粧チップ取り付け用の軸部が厚み２ｍｍ以下の略板状であり、
上記化粧チップが伸縮素材からなり、上記軸部を差し込むための取り付け穴を有し、
上記取り付け穴の、軸部厚み方向に対応する開口寸法が、軸部根元部の厚み寸法より大きく設定され、同じく軸部厚み方向と直交する方向に対応する開口寸法が、軸部根元部の厚み方向と直交する方向の寸法より小さく設定され、化粧チップが、少なくとも上記軸部根元部を覆う部分において、その軸部根元部に沿って厚み方向に潰れ、厚み方向と直交する方向に引き延ばされた状態で、軸部に取り付けられるようになっていることを特徴とする化粧用具。
【請求項２】
上記化粧チップ取り付け用の軸部の外周面に、上記化粧チップを係止するための係合部が設けられているとともに、上記化粧チップの取り付け穴の内周面に、上記軸部の係合部と係合しうる被係合部が設けられている請求項１記載の化粧用具。
【請求項３】
上記化粧チップが、先端の閉じた袋状であって、その横断面が、上記軸部厚み方向を短軸とする楕円形である請求項１または２記載の化粧用具。
【請求項４】
上記化粧チップが、先端の閉じた先すぼまりの円筒状であって、その横断面が真円形である請求項１または２記載の化粧用具。
【請求項５】
上記把持部および軸部が、デュロＡ硬度６０°以上のプラスチック成形品であり、化粧チップが、デュロＡ硬度５〜８０°のエラストマー成形品である請求項１〜４のいずれか一項に記載の化粧用具。
【請求項６】
上記軸部根元部の厚み寸法を１とすると、上記取り付け穴の、軸部厚み方向に対応する開口寸法が１．２〜４．３に設定されており、上記軸部根元部の厚み方向と直交する寸法を１とすると、上記取り付け穴の、軸部厚み方向と直交する方向に対応する開口寸法が、０．４５〜０．９に設定されている請求項１〜５のいずれか一項に記載の化粧用具。
【請求項７】
一つの軸部に対し、交換可能な化粧チップが複数設けられている請求項１〜６のいずれか一項に記載の化粧用具。
【発明の詳細な説明】
【技術分野】
【０００１】
本発明は、厚みが薄くて使い勝手のよい化粧用具に関するものである。
【背景技術】
【０００２】
リップカラーやアイカラー、ファンデーション等のメイクアップ化粧料を収容するコンパクト容器には、化粧料だけでなく、小型の化粧チップや化粧ブラシ等の化粧用具を併せて収容するようにしたものが多く用いられている。
【０００３】
このような化粧用具として、例えば図１３に示すような、小さな棒状の把持部１の先端に、丸いスポンジ部２を取り付けた化粧チップがよく知られている（例えば特許文献１を参照）。
【０００４】
また、最近では、例えば図１４（ａ）およびその断面図である図１４（ｂ）に示すように、中空軸からなる把持部３の一端側に、略円錐形のゴムチップ４を取り付け、他端側にマスカラ用ブラシ等の塗布具５を取り付けた化粧用具が提案されている（例えば特許文献２を参照）。
【０００５】
しかしながら、上記図１３に示す化粧チップは、丸いスポンジ部２が、固いプラスチック製の把持部１から延びる細い軸部１ａ'に取り付けられているため、柔軟でボリュームのあるスポンジ部２を肌に当てると、スポンジ部分の変形が大きく、化粧がしにくいという問題がある。特に、目元の幅の細い領域に線を引くように化粧を施す場合、思い通りに線を引くことが難しいという問題がある。しかも、その製造工程において、上記スポンジ部２を軸部１ａ'に接着剤や溶着によって取り付ける作業が必要であるため、製造に手間を要し、コストがかかるという問題もある。
【０００６】
また、上記図１４（ａ）、（ｂ）に示す化粧用具は、ゴムチップ４が比較的柔軟に肌に沿うものの、その根元部が、把持部３の開口に入り込んで全周が固定されているため、動きが制限され、やはり使い勝手が悪いという問題がある。そして、製造に手間を要し、コストがかかる点では、図１３のものを上回っている。
【０００７】
そして、軽薄短小が好まれる昨今の技術動向を背景に、コンパクト容器のさらなる薄型化が望まれているが、上記のような化粧用具の構造では、プラスチック製の把持部１、３の厚みがネックとなって、画期的な薄型容器を実現することができないという問題もある。
【０００８】
そこで、本出願人は、把持部にスポンジ部やゴムチップを取り付けるのではなく、図１５に示すように、把持部６と化粧のための作用部７、８とを一体化し、全体をごく薄い平板状にした化粧用具を開発し、すでに出願している（特許文献３を参照）。この化粧用具によれば、全体の厚みを、例えば４ｍｍ以下といった薄さに設定することができるため、ごく薄型のコンパクト容器に収容することができ、携帯時に嵩張ることがない。
【先行技術文献】
【特許文献】
【０００９】
【特許文献１】実用新案登録第３０８１８３０号公報
【特許文献２】実用新案登録第３１１８７５１号公報
【特許文献３】特開２０１４−１２１４４４号公報
【発明の概要】
【発明が解決しようとする課題】
【００１０】
しかしながら、上記図１５に示す化粧用具は、化粧のための作用部７、８全体がエラストマーで形成されているため、エラストマーの材質によっては腰がなく、肌に化粧料を塗布しにくくなるおそれがあり、その改善が求められている。
【００１１】
本発明は、このような事情に鑑みてなされたもので、全体がごく薄い構造で、しかも肌への使い勝手に優れた化粧用具の提供を、その目的とする。
【課題を解決するための手段】
【００１２】
上記の目的を達成するため、本発明は、左右方向に延びる把持部と、上記把持部の左右両端のうち少なくとも一方の端面から延設される化粧チップ取り付け用の軸部と、上記軸部に着脱自在に取り付けられる化粧チップとを備えた化粧用具であって、上記把持部が厚み４ｍｍ以下の略板状であり、上記化粧チップ取り付け用の軸部が厚み２ｍｍ以下の略板状であり、上記化粧チップが伸縮素材からなり、上記軸部を差し込むための取り付け穴を有し、上記取り付け穴の、軸部厚み方向に対応する開口寸法が、軸部根元部の厚み寸法より大きく設定され、同じく軸部厚み方向と直交する方向に対応する開口寸法が、軸部根元部の厚み方向と直交する方向の寸法より小さく設定され、化粧チップが、少なくとも上記軸部根元部を覆う部分において、その軸部根元部に沿って厚み方向に潰れ、厚み方向と直交する方向に引き延ばされた状態で、軸部に取り付けられるようになっている化粧用具を第１の要旨とする。
【００１３】
また、本発明は、そのなかでも、特に、上記化粧チップ取り付け用の軸部の外周面に、上記化粧チップを係止するための係合部が設けられているとともに、上記化粧チップの取り付け穴の内周面に、上記軸部の係合部と係合しうる被係合部が設けられている化粧用具を第２の要旨とする。
【００１４】
さらに、本発明は、それらのなかでも、特に、上記化粧チップが、先端の閉じた袋状であって、その横断面が、上記軸部厚み方向を短軸とする楕円形である化粧用具を第３の要旨とし、上記化粧チップが、先端の閉じた先すぼまりの円筒状であって、その横断面が真円形である化粧用具を第４の要旨とする。
【００１５】
そして、本発明は、それらのなかでも、特に、上記把持部および軸部が、デュロＡ硬度６０°以上のプラスチック成形品であり、化粧チップが、デュロＡ硬度５〜８０°のエラストマー成形品である化粧用具を第５の要旨とする。
【００１６】
また、本発明は、それらのなかでも、特に、上記軸部根元部の厚み寸法を１とすると、上記取り付け穴の、軸部厚み方向に対応する開口寸法が１．２〜４．３に設定されており、上記軸部根元部の厚み方向と直交する寸法を１とすると、上記取り付け穴の、軸部厚み方向と直交する方向に対応する開口寸法が、０．４５〜０．９に設定されている化粧用具を第６の要旨とする。
【００１７】
さらに、本発明は、それらのなかでも、特に、一つの軸部に対し、交換可能な化粧チップが複数設けられている化粧用具を第７の要旨とする。
【発明の効果】
【００１８】
すなわち、本発明の化粧用具は、厚みが４ｍｍ以下の略板状の把持部と、同じく厚みが２ｍｍ以下の略板状の化粧チップ取り付け用の軸部とが、一体的に形成されており、その軸部に、着脱自在に、伸縮素材からなる化粧チップを取り付けたものである。
【００１９】
この化粧用具によれば、把持部の厚みが４ｍｍ以下で、これに取り付けられる化粧チップも、伸縮素材からなるものであることから、全体の厚みも、ごく薄く設定することができる。したがって、例えばカードタイプの薄型コンパクト容器への収納が可能となり、携帯等に便利である。しかも、上記化粧用具の軸部に着脱自在に取り付けられる化粧チップは、伸縮素材で形成されているため、肌への感触が柔らかく、良好である。しかも、化粧チップの内側に、芯となる軸部が通っているため、化粧チップを肌に当てて化粧料を塗布する等の動作を行う場合、上記軸部が、化粧チップの「腰」となって、塗布動作がしやすいという利点を有する。
【００２０】
また、化粧チップとして、厚み２ｍｍ以下の略板状の軸部に嵌合しうる平たい取り付け穴を有する形状を金型で成形するには、コア（雄型）が薄すぎて損傷するおそれがあるが、本発明における化粧チップは、その取り付け穴の開口寸法が、軸部根元部の厚み寸法より大きく、軸部根元部の厚み方向と直交する方向の寸法より小さく設定されている。したがって、上記化粧チップを容易に金型成形することができるという利点を有する。そして、得られた化粧チップは、軸部に取り付けると、略板状の軸部に沿って平たく引き延ばすことができるため、厚み方向に嵩張ることがない。
【００２１】
なお、本発明の化粧用具のなかでも、特に、上記化粧チップ取り付け用の軸部の外周面に、上記化粧チップを係止するための係合部が設けられているとともに、上記化粧チップの取り付け穴の内周面に、上記軸部の係合部と係合しうる被係合部が設けられているものは、化粧チップと軸部との係合が、より確実になされるため、好適である。
【００２２】
また、本発明の化粧用具のなかでも、特に、上記化粧チップが、先端の閉じた袋状であって、その横断面が、上記軸部厚み方向を短軸とする楕円形である化粧用具は、その楕円形の、偏平になった向きと、化粧チップ取り付け用の軸部の偏平な向きとを合わせれば、簡単に両者を係合することができ、顧客にとって、使い勝手がよい。
【００２３】
一方、本発明の化粧用具のなかでも、特に、上記化粧チップが、先端の閉じた先すぼまりの円筒状であって、その横断面が真円形であるものは、周方向において方向性がないため、化粧チップを製造する金型が単純な形となり、成形しやすいという利点を有する。また、商品組立ラインにおいて、チップ取り付け用の軸部に化粧チップを装着する作業時に、化粧チップの向きが問題にならないため、作業効率がよいという利点を有する。
【００２４】
さらに、本発明の化粧用具のなかでも、特に、上記把持部および軸部が、デュロＡ硬度６０°以上のプラスチック成形品であり、化粧チップが、デュロＡ硬度５〜８０°のエラストマー成形品であるものは、この化粧チップを肌に当てて化粧料を塗布する等の動作を行う際、とりわけ、化粧チップの肌への感触が良好で、しかもその腰の強さによって塗布作業も良好となるため、好適である。
【００２５】
また、本発明の化粧用具のなかでも、特に、上記軸部根元部の厚み寸法を１とすると、上記取り付け穴の、軸部厚み方向に対応する開口寸法が１．２〜４．３に設定されており、上記軸部根元部の厚み方向と直交する寸法を１とすると、上記取り付け穴の、軸部厚み方向と直交する方向に対応する開口寸法が、０．４５〜０．９に設定されているものは、化粧チップの取り付け穴の開口が、厚み方向に平たく潰れた形状にならず、ある程度丸みのある楕円形や真円形となるため、金型成形によって、とりわけ簡単に製造することができ、好適である。
【００２６】
さらに、本発明の化粧用具のなかでも、特に、一つの軸部に対し、交換可能な化粧チップが複数設けられているものは、化粧チップが汚れたら清浄な化粧チップに交換することができ、全体を交換するよりも経済的である。また、複数の化粧チップを、化粧料の色や種類によって使い分けることにより、その日の化粧に用いる化粧チップを選択して把持部に取り付けて携帯することができる。
【図面の簡単な説明】
【００２７】
【図１】本発明の第１の実施の形態を示す外観斜視図である。
【図２】上記実施の形態の説明図であり、（ａ）はその水平断面図、（ｂ）はその垂直断面図、（ｃ）は（ｂ）のＡ−Ａ′断面図、（ｄ）は（ｂ）のＢ−Ｂ′断面図である。
【図３】上記第１の実施の形態において、第１、第２の化粧チップを軸部に取り付ける前と後の状態を示す説明図である。
【図４】第１の化粧チップの説明図であり、（ａ）はその水平断面図、（ｂ）はその垂直断面図、（ｃ）は（ａ）のＣ矢視図、（ｄ）は上記第１の化粧チップを軸部に取り付けた状態の説明図である。
【図５】第２の化粧チップの説明図であり、（ａ）はその水平断面図、（ｂ）はその垂直断面図、（ｃ）は（ａ）のＤ矢視図、（ｄ）は上記第２の化粧チップを軸部に取り付けた状態の説明図である。
【図６】（ａ）〜（ｃ）はいずれも、上記第１の実施の形態の変形例を示す説明図である。
【図７】本発明の第２の実施の形態に用いられる化粧チップの説明図であり、（ａ）はその垂直断面図、（ｂ）は（ａ）の右側面図である。
【図８】上記第２の実施の形態に用いられる把持部と軸部の説明図であり、（ａ）はその平面図、（ｂ）は（ａ）の正面図、（ｃ）は（ａ）の左側面図である。
【図９】（ａ）は上記第２の実施の形態において、化粧チップを軸部に取り付けた状態を示す平面図、（ｂ）はその正面図である。
【図１０】上記第２の実施の形態において、軸部の変形例を示す説明図であり、（ａ）はその平面図、（ｂ）は（ａ）の左側面図である。
【図１１】本発明の第３の実施の形態の説明図であり、（ａ）はその平面図、（ｂ）は（ａ）の正面図、（ｃ）は（ａ）の左側面図である。
【図１２】本発明の第４の実施の形態の説明図であり、（ａ）はその平面図、（ｂ）は（ａ）の左側面図である。
【図１３】従来の化粧用具の一例を示す説明図である。
【図１４】（ａ）、（ｂ）はともに従来の化粧用具の他の例を示す説明図である。
【図１５】本発明の先行出願に係る化粧用具を示す説明図である。
【発明を実施するための形態】
【００２８】
図１は、本発明の化粧用具の第１の実施の形態を示す外観斜視図である。また、図２（ａ）は、その水平断面図を示し、図２（ｂ）は、その垂直断面図を示している。これらの図からわかるように、この化粧用具は、左右方向（図１では紙面左下方向から紙面右上方向）に延びる略板状の把持部１０と、その向かって左側に取り付けられる第１の化粧チップ１１と、同じく右側に取り付けられる第２の化粧チップ１２とを備えている。これらの化粧チップ１１、１２は、ともに先端に向かって徐々に先が細くなっている。そして、化粧用具全体としては、第１の化粧チップ１１のある側において幅が太く、第２の化粧チップ１２のある側に向かって、徐々に幅が狭くなっている。
【００２９】
より詳しく説明すると、上記略板状の把持部１０には、その左右両側から左右方向に、それぞれ化粧チップ取り付け用の軸部１３、１４が延設されている。そして、上記軸部１３、１４は、把持部１０より一回り小さい略板状で、その平面視形状は、先端にいくほど先細りのヘラ状になっている。そして、上記軸部１３、１４の根元部外周面のうち、前後の端面に、第１、第２の化粧チップ１１、１２を係止するための凹状の係合部１５、１６が、それぞれ設けられている。
【００３０】
上記把持部１０および軸部１３、１４は、プラスチック製の一体成形品からなり、把持部１０、軸部１３、１４の寸法は、図２に示すとおりである（単位はｍｍ、以下の図面も同じ）。そして、図示の寸法からわかるとおり、左右の軸部１３、１４は、同一形状になっている。また、上記略板状の把持部１０の厚みは４ｍｍ以下（この例では２．８ｍｍ）に設定され、軸部１３、１４の厚みは２ｍｍ以下（この例では１．５６３ｍｍ）に設定されており、全体がごく薄い略板状になっている。したがって、上記軸部１３、１４に第１、第２の化粧チップ１１、１２を取り付けた全体厚みもごく薄くなるよう配慮されている（この例では最大厚みが３．１６５ｍｍ）。
【００３１】
上記把持部１０および軸部１３、１４を構成するプラスチックの材料としては、各種の熱可塑性樹脂が用いられる。例えば、ナイロン等のポリアミド樹脂（ＰＡ）、ポリエチレンテレフタレート（ＰＥＴ）、ポリブチレンテレフタレート（ＰＢＴ）等のポリエステル樹脂、ポリスチレン（ＰＳ）、アクリロニトリル・スチレン共重合体（ＡＳ）、アクリロニトリル・ブタジエン・スチレン共重合体（ＡＢＳ）、ポリエチレン（ＰＥ）、ポリプロピレン（ＰＰ）、ポリメタクリル酸メチル（ＰＭＭＡ）、各種のエラストマー等があげられる。なかでも、デュロＡ硬度６０°以上の、ナイロンやポリプロピレン、ポリエステル系エラストマーが、適度の可撓性を有し、しかも繰り返し軸部１３、１４の根元部に力がかかっても塑性変形することがない点で、好適である。
【００３２】
また、上記左右の軸部１３、１４に取り付けられる第１の化粧チップ１１、第２の化粧チップ１２は、ともに伸縮素材からなり、それぞれ、上記軸部１３、１４を差し込むための取り付け穴１７、１８を有する、先端の閉じたやや平たい袋状に成形されている（図３を参照）。
【００３３】
そして、上記取り付け穴１７、１８の内周面には、上記軸部１３、１４の根元部外周面に設けられた凹状の係合部１５、１６と係合するための、凸状の被係合部１９、２０が、上記係合部１５、１６と対峙する配置で、それぞれ設けられている。
【００３４】
上記第１、第２の化粧チップ１１、１２を構成する伸縮素材としては、合成ゴム、天然ゴム、熱可塑性エラストマー等、各種のエラストマーがあげられる。そして、肌への感触や化粧料の塗布作業性を考慮すれば、デュロＡ硬度５〜８０°のものが好適に用いられ、材質としては、シリコーンゴムやブチルゴムが好適である。
【００３５】
なお、上記第１、第２の化粧チップ１１、１２は、把持部１０から延びる軸部１３、１４の外周面にぴったり沿う形状に成形されているのではなく、軸部１３、１４に取り付ける前の状態では、その横断面が、上記軸部厚み方向を短軸とする楕円形になっている。そして、各化粧チップ１１、１２の取り付け穴形状が、軸部１３、１４の外周形状より、厚み方向に膨らんだ、丸みのある形状になっている。その取り付け前後の形状の違いを、図３に示す。すなわち、第１、第２の化粧チップ１１、１２を軸部１３、１４に取り付けた状態を、図３の上に示す。また、それぞれを軸部１３、１４に取り付ける前の状態を、図３の下に示す。
【００３６】
そして、上記第１の化粧チップ１１を軸部１３に取り付ける前の状態における水平断面図を図４（ａ）に示し、同じく垂直断面図を図４（ｂ）に示す。また、図４（ａ）の右側面図（Ｃ矢視図）を図４（ｃ）に示す。さらに、上記第１の化粧チップ１１を軸部１３に取り付けた状態における化粧チップ１１の端面形状を図４（ｄ）に示す。
【００３７】
同様に、上記第２の化粧チップ１２を軸部１４に取り付ける前の状態における水平断面図を図５（ａ）に示し、同じく垂直断面図を図５（ｂ）に示す。また、図５（ａ）の右側面図（Ｄ矢視図）を図５（ｃ）に示す。そして、上記第２の化粧チップ１２を軸部１４に取り付けた状態における化粧チップ１２の端面形状を図５（ｄ）に示す。
【００３８】
これらの図からわかるように、第１、第２の化粧チップ１１、１２は、それぞれの取り付け穴１７、１８の、軸部厚み方向に対応する開口寸法Ｐ（この例では２．２ｍｍ）が、軸部１３、１４の根元部の厚み寸法Ｑ（この例では１．２ｍｍ）より大きく設定されている。また、取り付け穴１７、１８の、軸部厚み方向に直交する方向に対応する開口寸法Ｒ（この例では４．６ｍｍ）が、軸部１３、１４の根元部の厚み方向と直交する方向の寸法Ｓ（この例では６ｍｍ）より小さく設定されている。
【００３９】
したがって、第１、第２の化粧チップ１１、１２は、軸部１３、１４に取り付ける前の状態では、略板状の外周形状を有する軸部１３、１４に比べて、厚み方向に丸く膨らんだ形状（すなわち、横断面が楕円形となる形状）になっており、軸部１３、１４に取り付けることによって、厚み方向に潰れ、厚み方向に直交する方向に引き延ばされた状態で、上記軸部１３、１４の外周形状にぴったり沿う形になって取り付けられることがわかる。
【００４０】
このように、第１、第２の化粧チップ１１、１２の形状を、軸部１３、１４の外周形状よりも丸く膨らんだ形状にするのは、第１、第２の化粧チップ１１、１２を製造する際の成形性を考慮したものである。すなわち、本発明では、携帯に便利な薄型コンパクトへの収容が可能な、厚みの薄い化粧用具を提供できることが大きな特徴であり、全体ができるだけ平たくなるよう構成している。そうすると、上記第１、第２の化粧チップ１１、１２の形状を、平たい軸部１３、１４の外周形状に沿った、厚み方向に潰れた形状［図４（ｄ）、図５（ｄ）を参照］にすることも考えられるが、その場合、取り付け穴１７、１８を賦形するためのコア（雄型）として、非常に厚みの薄いものを用いなければならず、型成形時にコアが変形したり損傷したりして、トラブルを招くおそれがある。
【００４１】
そこで、本発明では、軸部１３、１４に取り付ける前の、当初の第１、第２の化粧チップ１１、１２の形状を、平たい軸部１３、１４に沿った形状ではなく、より丸く膨らんだ形状として成形し、軸部１３、１４に取り付ける際、これを厚み方向と直交する方向に引き延ばし、厚み方向に潰すようにして取り付けることによって、軸部１３、１４にぴったりと沿わせるようにしたのである。
【００４２】
上記のように、第１、第２の化粧チップ１１、１２に、成形容易性を考慮した形状を付与するには、軸部１３、１４の根元部の厚み寸法Ｑを１とすると、第１、第２の化粧チップ１１、１２の取り付け穴１７、１８の、軸部厚み方向に対応する開口寸法Ｐが、１．２〜４．３に設定されていることが好適であり、なかでも、上記の例のように、化粧チップ１１、１２の横断面が楕円形の場合は、特に、上記開口寸法Ｐが１．５〜２．０に設定されていることがより好適である。ちなみに、上記の例では、Ｑ＝１．２ｍｍ、Ｐ＝２．２ｍｍであり、Ｐ／Ｑ＝１．８に設定されている。
【００４３】
また、同様の理由から、軸部１３、１４の根元部の厚み方向と直交する寸法Ｓを１とすると、第１、第２の化粧チップ１１、１２の取り付け穴１７、１８の、軸部厚み方向と直交する方向に対応する開口寸法Ｒが、０．４５〜０．９に設定されていることが好適であり、上記の例のように、化粧チップ１１、１２の横断面が楕円形の場合、上記開口寸法Ｒは、特に、０．７〜０．８に設定されていることがより好適である。ちなみに、上記の例では、Ｓ＝６ｍｍ、Ｒ＝４．６ｍｍであり、Ｒ／Ｓ＝０．７７に設定されている。
【００４４】
さらに、上記第１、第２の化粧チップ１１、１２は、ともに、先端の閉じた袋状、すなわち、それぞれの先端に向かって先細り形状になっているが、その先端部分における軸方向の厚み寸法Ｔは、他の部分よりも肉厚になっており、例えば、第１、第２の化粧チップ１１、１２の軸方向の全長をＬとすると、Ｔは、０．２Ｌ〜０．５Ｌに設定することが好適である。Ｔが薄すぎると、化粧時の肌に対する当たりが硬く感じられて好ましくない。また、Ｔが厚すぎると、その先端が軸部１３、１４から離れすぎて腰がなく、化粧料等を塗布しにくくなるおそれがあり好ましくない。ちなみに、上記の例では、Ｔ＝５ｍｍ、Ｌ＝１５ｍｍであり、Ｔ／Ｌ＝０．３に設定されている。なお、上記Ｔ、Ｌを、図４（ａ）、図５（ａ）に示す。
【００４５】
上記構成の化粧用具によれば、把持部１０（図２参照）の厚みが４ｍｍ以下で、これに取り付けられる第１、第２の化粧チップ１１、１２も、伸縮素材からなるものであることから、全体の厚みが、ごく薄く設定されている。したがって、例えばカードタイプの薄型コンパクト容器への収納が可能となり、携帯等に便利である。しかも、上記第１、第２の化粧チップ１１、１２は、伸縮素材で形成されているため、肌への感触が柔らかく、使いやすい。しかも、その内側には、芯となる軸部１３、１４が通っているため、化粧料を塗布する等の動作を行う場合、上記軸部１３、１４が、第１、第２の化粧チップ１１、１２の「腰」となって、塗布動作がしやすいという利点を有する。
【００４６】
また、第１、第２の化粧チップ１１、１２において、その取り付け穴１７、１８の開口寸法が、取り付け穴１７、１８に差し込まれる軸部１３、１４の根元部の厚み寸法より大きく、軸部根元部の厚み方向と直交する方向の寸法より小さく設定されている。したがって、第１、第２の化粧チップ１１、１２の形状が、厚み方向に膨らんだ、丸みのある形状になっているため、これらを容易に金型成形することができるという利点を有する。そして、上記第１、第２の化粧チップ１１、１２は、略板状の軸部１３、１４に取り付けると、軸部１３、１４に沿って平たく引き延ばすことができるため、厚み方向に嵩張ることがない。
【００４７】
そして、上記第１の化粧チップ１１と第２の化粧チップ１２とは、それぞれの平面視形状における先端側の丸みが異なっているため、比較的広く化粧料を塗布したい場合には第１の化粧チップ１１を用い、比較的狭い幅で化粧料を塗布したい場合には第２の化粧チップ１２を用いる、というように使い分けることができる。
【００４８】
なお、上記の例は、把持部１０の左右両端面から軸部１３、１４を延設し、それぞれに第１、第２の化粧チップ１１、１２を着脱自在に取り付けたものであるが、上記第１の実施の形態の変形例として、例えば図６（ａ）に示すように、把持部１０の片方の端面から軸部３０を延設し、この軸部３０に化粧チップ３１を着脱自在に取り付けるようにしてもよい。この化粧用具によれば、上記の例のように二つの化粧チップを使い分けることはできないが、他の構成は上記の例と同様であり、上記の例と同様の効果を奏する。
【００４９】
また、図１に示す例と同様、第１、第２の化粧チップ１１、１２を取り付けたものであっても、例えば図６（ｂ）に示すように、把持部１０に対し軸部３２、３３を、水平方向であって側方にやや傾いた配置で延設し、この軸部３２、３３に、第１、第２の化粧チップ３４、３５を着脱自在に取り付けるようにしてもよい。人によっては、このように、水平方向にやや傾いた配置で第１、第２の化粧チップ３４、３５が取り付けられている方が使い勝手がよい場合があるからである。この化粧用具も、上記の例と同様の効果を奏する。
【００５０】
さらに、化粧用具の全体厚みを、ごく薄い厚みに設定することが要求されない場合、例えば図６（ｃ）に示すように、把持部１０に対し軸部３６、３７を、垂直方向にやや傾いた配置で延設し、この軸部３６、３７に、第１、第２の化粧チップ３８、３９を着脱自在に取り付けるようにしてもよい。この場合、化粧用具は、平板ではなく、二個所で屈曲した略板状となるが、人によっては、このように、垂直方向にやや屈曲した配置で第１、第２の化粧チップ３８、３９が取り付けられている方が使い勝手がよい場合がある。また、容器への収容や包装の便宜上、このような形態にする方がよい場合もある。この化粧用具も、他の構成は、上記の例と同様であり、同様の効果を奏する。なお、屈曲の方向は、図示のように、互いに反対向きであってもよいし、鎖線で示すように、同じ向きであってもよい。
【００５１】
また、本発明において、軸部１３、１４等が把持部１０の両側に設けられているか片側にのみ設けられているかにかかわらず、一つの軸部に対し、交換可能な化粧チップを複数設けるようにしてもよい。複数の化粧チップを設けておくと、化粧チップが汚れたら清浄な化粧チップに交換することができ、全体を交換するよりも経済的である。また、複数の化粧チップを、化粧料の色や種類によって使い分けることにより、その日の化粧に用いる化粧チップを選択して把持部１０に取り付けて携帯することができるため、複数の化粧料容器を携帯する必要がなく、便利である。
【００５２】
そして、上記一連の例は、化粧チップ１１、１２等が、いずれも、軸部１３、１４等の厚み方向にやや潰れた、横断面が楕円形のものであったが、化粧チップの形状は、必ずしもこのような、やや潰れた形状である必要はなく、横断面が完全な真円になっていてもよい。以下、本発明の第２の実施形態として、横断面が完全な真円である化粧チップを用いた化粧用具の一例について説明する。
【００５３】
この化粧用具の化粧チップ４０は、その垂直断面図である図７（ａ）と、その右側面図である図７（ｂ）に示すように、先端の閉じた先すぼまりの円筒状で、その横断面が、どの方向にも潰れていない真円形になっている。４１は、軸部を差し込むための取り付け穴である。なお、形状を特定するための主要な寸法を、図４、図５と同様に、図７に記入している。
【００５４】
また、上記化粧チップ４０を取り付ける軸部４５および把持部４６は、その平面図である図８（ａ）と、その正面図である図８（ｂ）と、図８（ａ）の左側面図である図８（ｃ）に示すように、略板状の把持部４６の片側から、把持部４６よりさらに厚みの薄い軸部４５が延設された構成になっている。この軸部４５に、上記化粧チップ４０を取り付けた状態を、図９に示す。図９（ａ）はその平面図、図９（ｂ）はその正面図である。なお、これらの形状を特定するための主要な寸法を、図２と同様に、図８に記入している。
【００５５】
上記化粧用具によれば、軸部４５から外した状態の化粧チップ４０が、周方向に方向性がないため、化粧チップ４０を製造する際に用いる金型の構成が簡単となり、低コスト化を図ることができる。また、商品製造工程の組立ラインにおいて、化粧チップ４０を軸部４５への差し込み作業も、周方向の向きを考慮する必要がないため、簡単である。
【００５６】
そして、上記化粧チップ４０が、軸部４５の幅方向に大きく引き延ばされるため、軸部４５に対する圧縮力が強くなる。したがって、前記一連の、横断面形状が楕円形の化粧チップ１１等を用いる場合のように、両者の間に係合部（図２における符号１５と１９で示す係合、符号１６と２０で示す係合）を設けなくても、化粧チップ４０が軸部４５から脱落することがなく、両者の構成がより単純になる。これによっても、低コスト化を図ることができる。
【００５７】
しかも、軸部４５に係合用の凹部を設ける必要がないため、軸部４５の厚みをより薄くすることができ、それに伴い、把持部４６の厚みもより薄くすることができる。したがって、化粧用具全体を、さらに薄くすることができる。
【００５８】
ちなみに、図７に示す化粧チップ４０において、取り付け穴４１の開口寸法は、軸部厚み方向に対応する開口寸法Ｐも、軸部厚み方向と直交する方向に対応する開口寸法Ｒも、３．８ｍｍである。一方、図８に示す軸部４５の根元部の、厚み方向の寸法Ｑは１．０ｍｍ、同じく厚み方向と直交する寸法Ｓは７．４ｍｍである。したがって、Ｐ／Ｑ＝３．８となり、Ｒ／Ｓ＝０．５１となる。これらの値から、上記化粧チップ４０は、金型による成形容易性を備えていることがわかる。
【００５９】
また、図７に示す化粧チップ４０の、先端部分における軸方向の厚み寸法Ｔは１．０ｍｍ、化粧チップ４０の軸方向の全長Ｌは１４．０ｍｍで、Ｔ／Ｌ＝０．０７となる。この値は、前記図４に示す、横断面が楕円形の化粧チップ１１等におけるＴ／Ｌの好適範囲（Ｔ＝０．２Ｌ〜０．５Ｌ）を外れているか、この、横断面が真円形の化粧チップ４０は、厚みがごく薄い軸部４５と組み合わせることができるため、軸部４５自体が、前記横断面が楕円形の化粧チップ１１等と組み合わせられる軸部１３等に比べて、撓みやすくなっている。したがって、化粧チップ４０の先端部分の厚み寸法Ｔが薄くても、化粧時の使い勝手が悪くなることはない。
【００６０】
なお、上記化粧チップ４０を金型によって成形する際、外側の雌型の内周面から、成形された化粧チップ４０が外れにくくなるおそれがある。その解決法としては、内側の雄型の外周面に突起を設けておき、成形後、雌型から、雄型と一体的に化粧チップ４０を外し、さらに雄型から化粧チップ４０を外すことが好ましい。その場合、化粧チップ４０の取り付け穴４１の内周面に、雄型の突起による凹部４２［図７（ａ）において鎖線で示す部分を参照］が形成されるため、この凹部４２に合うように、軸部４５側に突起を設けて、化粧チップ４０の抜け止めとしてもよい。
【００６１】
そして、上記化粧チップ４０を用いた例において、例えば図１０に示すような、さらに厚みの薄い軸部４５’を用いることもできる。図１０（ａ）はその平面図、図１０（ｂ）はその左側面図を示す。この例の軸部４５’は、上記化粧チップ４０の圧縮力を維持するために、軸部４５’の周長が、上記図７に示す軸部４５の周長と同一に設定され、かつ、その厚みをより薄くしたもので、軸部４５’は、厚みが薄くなった分、軸部４５’の幅寸法が大きく設定されている。
【００６２】
この軸部４５’を備えた化粧用具によれば、軸部４５'と把持部４６'とを、ともに、より薄くすることができるため、全体として、さらにコンパクトな形状とすることができる。しかも、軸部４５'が薄いため、図８に示す軸部４５よりもさらに撓みやすくなっており、化粧時の使い勝手がよい。そして、軸部４５'に対する化粧チップ４０の圧縮力は、図８に示すものと変わらないため、このものも、化粧チップ４０と軸部４５'との間に係合部をわざわざ設けなくても、化粧チップ４０が脱落せず、良好に使用することができる。
【００６３】
ちなみに、図１０に示す軸部４５'において、その根元部の、厚み方向の寸法Ｑは０．９ｍｍ、同じく厚み方向と直交する寸法Ｓは８．０ｍｍである。そして、化粧チップ４０は、図７に示すものである。したがって、Ｐ／Ｑ＝４．２となり、Ｒ／Ｓ＝０．４８となる。
【００６４】
さらに、本発明では、上記一連の化粧用具において、把持部をより長くして、化粧時により取り扱いやすいものとすることができる。その一例を、第３の実施の形態として、図１１に示す。図１１において、（ａ）はその平面図、（ｂ）はその正面図、（ｃ）はその左側面図である。
【００６５】
この、把持部５０が長い化粧用具（この例では、全長が１００ｍｍ）は、上記一連の例のようにコンパクト容器内に収容するとコンパクト容器が大型になるため、専用のケースに収容した状態で提供するか、先端にキャップを被せた状態で提供することが好適である。なお、この例の軸部５１は、前記図８に示す形状と同一であるが、図１０に示す、より薄型の形状であってもよいし、前記一連の、横断面が楕円形の化粧チップ１１等を取り付けるタイプであってもよい。
【００６６】
また、本発明では、図１１に示すように把持部５０を長くするのではなく、把持部を、ガイド軸を用いて長くすることもできる。その一例を、第４の実施の形態として、図１２に示す。すなわち、この例では、棒状のガイド軸６０と、図６や図８、図１０に示す化粧用具とを組み合わせることにより、把持部４６等を、ガイド軸６０によって長く延ばして用いることができる。
【００６７】
上記ガイド軸６０は、上記図１１に示す把持部５０と同様、厚み方向にやや潰れた略板状をしており、本発明の化粧用具を取り付ける側において幅が広く、反対側の端部に向かって、徐々に幅が狭くなっている。そして、上記化粧用具を取り付ける側の端部には、化粧用具の把持部４６、４６'等を差し込むための嵌合穴６１が設けられており、この嵌合穴６１に化粧用具の把持部４６、４６'等をぐっと差し込むことにより、ガイド軸６０と化粧用具とを一体化することができる。これにより、化粧用具の把持部４６、４６'等が、ガイド軸６０の長さに延長されるため、より使い勝手のよいものとなる。
【００６８】
さらに、本発明の化粧用具には、肌に影響を及ぼさない範囲で、抗菌剤を含有させることができる。その場合は、把持部１０等やガイド軸６０の成形材料と、第１、第２の化粧チップ１１、１２等の成形材料のそれぞれに、抗菌剤を含有させておくことが好ましい。このような抗菌剤としては、肌に接しても悪影響を及ぼさないものであることが必要であり、例えば、銀、亜鉛、銅やこれらのイオンが好適である。また、カテキンやユーカリ、ヒノキチオール等の天然由来のものも好適に用いられる。
【００６９】
さらに、本発明の化粧用具は、把持部１０等やガイド軸６０の成形材料と、第１、第２の化粧チップ１１、１２等の成形材料のそれぞれに、予め顔料等の着色剤を含有させることによって、さまざまな色や色模様を付与させることができる。すなわち、本発明では、上記把持部１０等も化粧チップ１１、１２等も、平たい略板状であり、目に見える面積が比較的大きいことから、その表面にカラフルなデザインを付与することにより、化粧用具の付加価値を高めることができる。
【産業上の利用可能性】
【００７０】
本発明は、肌への使い勝手に優れ、しかも全体をごく薄い構造にすることのできる化粧用具に好適に用いられる。
【符号の説明】
【００７１】
１０  把持部
１１  第１の化粧チップ
１２  第２の化粧チップ
１３、１４  軸部
１７、１８  取り付け穴
【図１】
2018029963.tif 000003
【図２】
2018029963.tif 000004
【図３】
2018029963.tif 000005
【図４】
2018029963.tif 000006
【図５】
2018029963.tif 000007
【図６】
2018029963.tif 000008
【図７】
2018029963.tif 000009
【図８】
2018029963.tif 000010
【図９】
2018029963.tif 000011
【図１０】
2018029963.tif 000012
【図１１】
2018029963.tif 000013
【図１２】
2018029963.tif 000014
【図１３】
2018029963.tif 000015
【図１４】
2018029963.tif 000016
【図１５】
2018029963.tif 000017